(57)【要約】【課題】  公共の場所、特に、混雑する電車、地下鉄等の公共交通機関内において着用し、同乗する乗客に対して「痴漢行為は行わない」旨を間接的にアピールして安心感を与えると共に、万が一、「痴漢である」と誤認された場合であっても、「痴漢行為は行えない」ことを容易に立証することができるグッズを提供する。【解決手段】  多数の人間が集まる公共の場所において着用する痴漢冤罪防止用ミトンであって、ミトン本体部と、ミトン本体部に連設された手首覆い部とを有し、装着者の指の動きが外方へ伝わりにくい所定の剛性を有する素材により形成されると共に、上記手首覆い部にはファスナー部材が設けられ、使用時に手首に固定できるように構成されている。【選択図】  図１
0003154535.tif 000002
【実用新案登録請求の範囲】
【請求項１】
多数の人間が集まる公共の場所において着用する痴漢冤罪防止用ミトンであって、ミトン本体部と、ミトン本体部に連設された手首覆い部とを有し、
装着者の指の動きが外方へ伝わりにくい所定の剛性を有する素材により形成されると共に、上記手首覆い部にはファスナー部材が設けられ、使用時に手首に固定できるように構成されていることを特徴とする痴漢冤罪防止用ミトン。
【請求項２】
外表皮部と、内表皮部と、中間部とにより構成され、上記内表皮部は汗を吸収する素材により形成されると共に、上記中間部は装着者の指の動きが外方へ伝わりにくい所定の剛性を有する素材により形成されていることを特徴とする請求項１記載の痴漢冤罪防止用ミトン。
【請求項３】
上記外表皮部は、指先部から指の第一関節相当部の間、指の第二関節相当部、指の第三関節相当部のみに形成され、上記外表皮部には蛍光塗料部が形成されていると共に装着者の指の動きが外方へ伝わりにくい所定の剛性を有する素材により形成されていることを特徴とする請求項２記載の痴漢冤罪防止用ミトン。
【請求項４】
上記ミトン本体部及び手首覆い部は、長さ方向に丸めて折り畳んだ形状を記憶している形状記憶機能を有する素材により形成されていることを特徴とする請求項１記載の痴漢冤罪防止用ミトン。
【考案の詳細な説明】
【技術分野】
【０００１】
本考案は、多くの乗客で混雑する公共交通機関に乗車する等の際に着用する痴漢冤罪防止用ミトンに関する。
【背景技術】
【０００２】
公共の場所、特に、電車やバス等の、公共交通機関に乗車する人間の中には異性に対し痴漢行為を働く者もおり、警察や公共交通機関各社は継続的に痴漢犯罪を防止するキャンペーンを行っているが、未だに、痴漢犯罪は撲滅されていない。
【０００３】
痴漢行為は、行為者が、混雑した状況を利用して自分の手で被害者の身体に触れるものであることから、電車の揺れ等が原因で偶発的に他人の身体に手が触れたような場合には、痴漢行為を行っていないにも拘わらず、異性から痴漢行為を行ったと誤認識される事態も起こりうる。
一度、被害者側に「痴漢行為を行った」旨公衆の面前でアピールされたり、刑事事件として告訴された場合には冤罪事件に巻き込まれることとなり、社会的にも大きな被害を蒙ることとなる。
【０００４】
そこで、公共交通機関等を利用するに際し、周囲の乗客に対して「痴漢を行わない」ことを間接的にアピールして乗客に安心感を与えると共に、仮に、痴漢であると誤認された場合であっても、「痴漢行為を行うことは困難である」ことを容易に立証でき、かつ利用者自身も「痴漢を行わない」ことを自戒することができるようなグッズがあれば便利である。
【考案の開示】
【考案が解決しようとする課題】
【０００５】
本考案はこのような観点から考案されたものであって、公共の場所、特に、混雑する電車、地下鉄等の公共交通機関内において着用し、同乗する乗客に対して「痴漢行為を行えない」旨を間接的にアピールして安心感を与えると共に、万が一、「痴漢である」と誤認された場合であっても、「痴漢行為を行うことは困難である」ことを容易に立証することができるグッズを提供することにある。
【課題を解決するための手段】
【０００６】
上記課題を解決するために、請求項１の考案にあっては、多数の人間が集まる公共の場所において着用する痴漢冤罪防止用ミトンであって、ミトン本体部と、ミトン本体部に連設された手首覆い部とを有し、装着者の指の動きが外方へ伝わりにくい所定の剛性を有する素材により形成されると共に、上記手首覆い部にはファスナー部材が設けられ、使用時に手首に固定できるように構成されていることを特徴とする。
【０００７】
従って、請求項１記載の考案に係る痴漢冤罪防止用ミトンは、装着者の指の動きが外方へ伝わりにくい所定の剛性を有する素材により形成されていることから、他の乗客と密接するような非常に混雑した車内において手を動かした場合であっても、使用者の指の動きは外部へ伝わりにくい。
【０００８】
ここで、「装着者の指の動きが外方へ伝わりにくい所定の剛性を有する素材」とは、ゴム、合成樹脂、皮革又は合成皮革等をいう。また、上記手首覆い部にはファスナー部材が設けられ、使用時に手首に固定できるように構成されていることから、一度装着した場合には、手首からは簡単に取り外されたり、脱落することはない。
【０００９】
請求項２記載の考案にあっては、外表皮部と、内表皮部と、中間部とにより構成され、上記内表皮部は汗を吸収する素材により形成されると共に、上記中間部は装着者の指の動きが外方へ伝わりにくい所定の剛性を有する素材により形成されていることを特徴とする。
【００１０】
従って、請求項２記載の考案にあっては、内表皮部は汗を吸収する素材により形成されていることから、着用時にも手が汗で蒸れることがない。
また、混雑する電車等の中で他人に密着した状態で手を動かした場合には、指の動きにより痴漢と誤認される可能性があるが、中間部が装着者の指の動きが外部へ伝わりにくい所定の剛性を有する素材、例えば、ゴム材、合成樹脂材、合成皮革材、皮革材等により構成されていることから、指の動きが外方へは表れにくい。
【００１１】
請求項３記載の考案にあっては、上記外表皮部は、指先部から指の第一関節相当部の間、指の第二関節相当部、指の第三関節相当部には蛍光塗料部が形成されていると共に装着者の指の動きが外方へ伝わりにくい所定の剛性を有する素材により形成されていることを特徴とする。
【００１２】
従って、請求項３記載の考案にあっては、外表皮部は指の可動部のみに形成され、中間部のみならず外表皮部も指の動きそのものが外部へ伝わりにくい素材により形成されていることから、さらに指の動きは外方へ表れにくい。また、そのような指関節の部位及び本考案に係るミトンそのものを蛍光塗料により周囲にアピールすることができる。
【００１３】
請求項４記載の考案にあっては、上記ミトン本体部及び手首覆い部は、に丸めて折り畳んだ形状を記憶している形状記憶機能を有する素材により形成されていることを特徴とする。
従って、請求項４記載の考案にあっては、例えば、折畳んだ状態の形状が記憶されていた場合には、非装着状態にあっては折畳み状態を維持することができる。
【考案の効果】
【００１４】
請求項１記載の考案に係る痴漢冤罪防止用ミトンは、装着者の指の動きが外方へ伝わりにくい所定の剛性を有する素材により形成されており、他の乗客と密着するような非常に混雑した車内等において他の乗客の身体に手が触れた状態で指を動かした場合であっても、使用者の指の動きが外部へ伝わりにくいことから、他の乗客に痴漢行為が行われたと誤認識させる可能性を低減することができる。
【００１５】
また、上記手首覆い部にはファスナー部材が設けられ、使用時に手首に固定できるように構成され、一度装着した場合には、手首からは簡単には取り外すことはできず、また、脱落することもないため、本考案に係る痴漢冤罪防止用ミトンを装着した乗客を他の乗客が視認した場合には、「当該乗客は痴漢行為には及ばない」という安心感を与え、他の乗客に対して「痴漢行為が自分に対して行われるのではないか」という不安感からのストレスを払拭することができる。
【００１６】
また、万が一、他の乗客により「痴漢行為が行われた」旨誤認識され、その旨のアピールを行われたり、告訴されたような場合であっても、本考案に係る痴漢冤罪防止用ミトンを着用していた場合には、本考案に係る痴漢冤罪防止用ミトンを着用していた場合には「痴漢行為を行うことは困難である」旨の立証を容易に行うことができる。
【００１７】
請求項２記載の考案にあっては、使用者が着用時にも汗で蒸れることがなく、装着時に違和感のない痴漢冤罪防止用ミトンを提供することができる。また、混雑する電車等の中で他人と密着した状態で手を動かす際に痴漢と間違えられやすい指の動きが外部へ伝わりにくいことから、痴漢であると他人が誤認する事態を有効に防止することができる。
【００１８】
請求項３記載の考案にあっては、中間部のみならず外表皮部も装着者の指の動きが外方へ伝わりにくい所定の剛性を有する素材により形成されていることから、さらに指の動きは外方へ表れにくいことから、痴漢と誤認される可能性をより低減することができる。
【００１９】
また、指関節の部位を蛍光塗料により、例えば、車内が薄暗い状況であっても、本考案に係る痴漢冤罪防止用ミトンを着用していることを周囲に明確に知らせることができることから、本考案に係る痴漢冤罪防止用ミトンの存在そのものをも周囲の人間にアピールすることができ、装着者と同じ場所にいる他人に対してより安心感を与えることができことから、結果的に、痴漢であると誤認される可能性をより有効に低減することができる。
【００２０】
請求項４記載の考案にあっては、非装着状態にあっては長さ方向に丸めて折り畳んで折畳み状態を維持することができることから、非装着時にコンパクトな状態での持ち運びが可能となる。
【図面の簡単な説明】
【００２１】
【図１】本考案に係る痴漢冤罪防止ミトンの一実施の形態を示す斜視図である。
【図２】図１の2―2線断面図である。
【図３】本考案に係る痴漢冤罪防止用ミトンの他の実施の形態を示す斜視図である。
【考案を実施するための最良の形態】
【００２２】
以下に、添付図面に基づき本考案に係る痴漢冤罪防止用ミトンの一実施の形態を詳細に説明する。
本実施の形態に係る痴漢冤罪防止用ミトン１０は、ミトン本体部１１と、ミトン本体部１１に連設された手首覆い部１２とを有している。上記ミトン本体部１１には親指から小指までの指を挿入できる４本指挿入部１１ａと、親指挿入部１１ｂとからなる。
【００２３】
従って、単なる手袋の形態ではなく、ミトンの形態をとることにより指の可動性を制限し、指の拘束性を高め、痴漢犯罪を起こしにくいことを形態そのものにより間接的にアピールしている。
また、上記手首覆い部１２にはストラップ部１７が設けられ、ストラップ部１７には両面ファスナー１８が設けられており、使用時に手首に固定できるように構成され、同様に、装着した場合には、容易には取り外せないことを間接的にアピールしている。
【００２４】
図２に示すように、本実施の形態に係るミトン１０は、外表皮部１３と、内表皮部１４と、外表皮部１３と内表皮部１４と間に配設された中間部１５とを有し、上記内表皮部１４はコットン等の汗を吸収する素材により形成されると共に、上記中間部１５は装着者の指の動きが外方へ伝わりにくい所定の剛性を有する素材、例えば、ゴム材、合成樹脂材、皮革材、合成皮革材等により形成されている。
【００２５】
上記外表皮部１３は、皮革又は合成皮革材により形成され、バッグ等の所定の重量のある物を保持した場合であっても、簡単には破損することがないように形成されている。外表皮部には黄色、赤色、青色、緑色等の他人の視覚に訴えやすい塗色が施されており、例えば、電車の同乗者に、本実施の形態に係る置換冤罪防止用ミトンの存在を周囲に強調できるようにしている。
【００２６】
また、本実施の形態にあっては、外表皮部１３と中間部１５との間には、形状記憶機能布材１６が配設されており、この形状記憶機能布材１６は、長さ方向に丸めて折畳んだ状態を形状記憶されていることから、本実施の形態に係る痴漢冤罪防止用ミトン１０は不使用時には自動的に長さ方向に丸くまとまり、容易に携帯できると共に収納スペースをとらないように構成されている。
【００２７】
以下、本実施の形態に係る痴漢冤罪防止用ミトン１０の作用について説明する。
使用者が本実施の形態に係る痴漢冤罪防止用ミトン１０を着用する場合には、
左右夫々の人差し指から小指までを上記４本指挿入部１１ａに挿入すると共に親指を親指挿入部１１ｂに挿入して、上記手首覆い部１１のストラップ部１７を用いて、両面ファスナー１８により手首に固定する。
【００２８】
この状態で、例えば、満員電車に乗車した場合には、他の乗客は、その派手な色彩から本実施の形態に係る痴漢冤罪防止用ミトン１０が手に装着されていることを認識しやすい。そして、他の乗客が本実施の形態に係る痴漢冤罪防止用ミトン１０が手に装着されていることを認識した場合には、少なくとも、手の指が拘束されていることを認識することができるため、「この人間は痴漢行為を働くことはできない」という安心感を与える。
従って、他の乗客の「痴漢行為を行う可能性がある」という不安感からくるストレスを解消することができると共に、「痴漢行為を働く可能性がある」という先入観を払拭することができるため、痴漢行為であるとの誤解、及び冤罪の発生の一般的な可能性を払拭することができる。
【００２９】
また、混雑する車内で、他の乗客の身体に痴漢冤罪防止用ミトン１０を装着した手が触れたような場合であっても、上記中間部１５は装着者の指の動きが外方へ伝わりにくい所定の剛性を有する素材、例えば、ゴム材、合成樹脂材、皮革材、合成皮革材等により形成されていることから、仮に、本実施の形態に係る痴漢冤罪防止用ミトンを装着した使用者が他の乗客等と密着した状態で各指が若干動いた場合であっても、各指の動きが相手に伝達される可能性は低く、仮に、手が他の乗客の身体に触れていたとしても、相手方は「自分に他人の指が触れている」とは認識しにくい。その結果、他人が「痴漢行為が行われている」という誤認識を持つに至る可能性を大きく低減することができる。
【００３０】
さらに、本実施の形態に係る痴漢冤罪防止用ミトン１０を使用者が着用する場合には、装着者自身の認識として「自分は痴漢行為を絶対に行わない」という意識を確認し、強く意識することができ、行為者自身の自戒を高め、痴漢犯罪の抑止に貢献することができる。
【００３１】
図３は本考案に係る痴漢冤罪防止用ミトンの他の実施の形態を示す。本実施の形態に係る痴漢冤罪防止用ミトン２０にあっては、指先部から指の第一関節相当部の間の部位２１、指の第二関節相当部２２、指の第三関節相当部２３のみが外表皮部２４により形成され、上記外表皮部には蛍光塗料２５が塗布されている。
従って、本実施の形態にあっては、上記指先部から指の第一関節相当部の間の部位２１と指の第二関節相当部２２との間、指第二間接相当部２２と指の第三関節相当部２３との間、及び指の第三関節相当部２３と後端部２４との間には、ム材、合成樹脂材、皮革材、合成皮革材等により形成された中間部１５が露出して配置されている。本実施の形態にあっては、上記形状記憶布材１６は、中間部１５と内表皮部１４との間に配設されている。
【００３２】
そして、上記外表皮部２４は、装着者の指の動きが外方へ伝わりにくい所定の剛性を有する素材（ゴム、合成樹脂、皮革又は合成皮革等）により形成されている。
本実施の形態に係る痴漢冤罪防止用ミトン２０にあっては、前記実施の形態に係る痴漢冤罪防止用ミトン１０とは異なり、中間部１５のみならず外表皮部１３も装着者の指の動きが外方へ伝わりにくい所定の剛性を有する素材により形成されていることから、さらに指の動きは外方へ表れにくいことから、痴漢と誤認される可能性をさらに低減することができる。
【００３３】
また、指先部から指の第一関節相当部の間の部位２１、指の第二関節相当部２２、指の第三関節相当部２３のみが外表皮部２４により形成されていることから、痴漢冤罪防止用ミトン２０全体の重量を増大させることはない。
【００３４】
さらに、指関節の部位２１，２２，２３を蛍光塗料により周囲にアピールすることができると共に、夜間等において仮に車内が薄暗くなった場合であっても、他の乗客は容易に痴漢冤罪防止用ミトン２０の存在を認識することができるため、本考案に係る痴漢冤罪防止用ミトン２０の存在そのものをも周囲の人間にアピールすることができ、装着者と同じ場所にいる他人に対してより安心感を与えることができことから、結果的に、痴漢であると誤認される可能性をより有効に低減することができる。
なお、上記各実施の形態における外表皮部、内表皮部及び中間部の素材に関しては上記実施の形態に限定されない。
【産業上の利用可能性】
【００３５】
本考案は、広く痴漢冤罪防止用ミトンに適用することができる。
【符号の説明】
【００３６】
１０  痴漢冤罪防止用ミトン
１１  ミトン本体部
１１ａ  ４本指挿入部
１１ｂ  親指挿入部
１２  手首覆い部  
１３  外表皮部
１４  内表皮部
１５  中間部
１６  形状記憶機能布材
１７  ストラップ部
１８  両面ファスナー
２０  痴漢冤罪防止用ミトン
２１  指先部から指の第一関節相当部の間の部位
２２  第二関節相当部
２３  第三間接相当部
２４  外表皮部
２５  蛍光塗料
【図１】
0003154535.tif 000003
【図２】
0003154535.tif 000004
【図３】
0003154535.tif 000005